【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
コンテナ保管庫においてＩＳＯ貨物コンテナを格納する及び取り出すためのシステムにおいて：
第１の支持構造、及び
第２の支持構造、
を備え、
各前記支持構造は少なくとも上部を有し、一定の距離で一方から離間しており、前記第１の支持構造の前記上部の少なくとも一部分は、前記第２の支持構造の前記上部の少なくとも一部分に対して少なくとも実質的に平行かつ真向いに位置し、両方の前記支持構造は、前記ＩＳＯ貨物コンテナの高さに少なくとも実質的に等しい高さまで延在し；
互いからの遠位端に配置された１対のベース脚であって、前記ベース脚の間の支持フレーム構造及びスプレッダにより接続された一対のベース脚を備えた少なくとも１つの貨物コンテナ荷役用クレーン、
をさらに備え、
前記１対のベース脚は、前記支持フレーム構造及び前記スプレッダが、両方の前記支持構造の前記上部の少なくとも実質的に平行な前記一部分に対して少なくとも実質的に垂直な配向で、両方の前記支持構造の前記上部の前記一部分の間の一定の距離を跨ぐように位置決めされ、
前記第１の支持構造の前記上部が、前記第１の支持構造の屋上部分であり、前記第２の支持構造の前記上部が、前記第２の支持構造の屋上部分である、システム。
【請求項２】
前記支持構造の前記上部の前記少なくとも実質的に平行な一部分の間のエリアに位置決めされた、少なくとも１つのセル案内構造を更に備え、
前記セル案内構造は：
前記ＩＳＯ貨物コンテナの基礎の寸法と実質的に同じとなるよう寸法決めされた、実質的に直角の矩形フレームであって、実質的に水平に、かつ長さ部分が前記支持構造の前記上部の前記平行な一部分に対して実質的に平行に配設される、矩形フレーム；及び
前記矩形フレームの各角から延在する垂直案内レールであって、各前記垂直案内レールは、前記ＩＳＯ貨物コンテナの高さに少なくとも実質的に等しい高さまで延在している、垂直案内レール
を備える、請求項１に記載のシステム。
【請求項３】
上部を有する第３の支持構造を更に備え、
前記第３の支持構造は、前記第１及び第２の支持構造それぞれの外周において前記第１及び第２の支持構造に接続されるよう、前記第１及び第２の支持構造の間に配置され、かつ、前記第３の支持構造の前記上部の少なくとも一部分は、前記第１及び第２の支持構造の前記上部の前記平行な一部分に対して少なくとも実質的に垂直である、請求項１又は２に記載のシステム。
【請求項４】
前記少なくとも１つの貨物コンテナ荷役用クレーンの前記１対のベース脚の一方は、前記第１の支持構造の前記上部の前記一部分に位置しており、前記１対のベース脚のもう一方は、前記第２の支持構造の前記上部の前記一部分に位置している、請求項１〜３のいずれか１項に記載のシステム。
【請求項５】
前記少なくとも１つの貨物コンテナ荷役用クレーンの前記１対のベース脚は、前記第１の支持構造と前記第２の支持構造との間の前記一定の距離をおいて配置されている、請求項１〜３のいずれか１項に記載のシステム。
【請求項６】
前記上部の前記一部分は、実質的に同じ高さであり、互いに対して少なくとも実質的に同一平面上にある、請求項１〜５のいずれか１項に記載のシステム。
【請求項７】
前記第３の支持構造の前記上部が、前記第３の支持構造の屋上部分である、請求項３に記載のシステム。
【請求項８】
前記上部及び／又は前記支持構造は、前記支持構造の上部におけるトレーラ、原動機及びＩＳＯ貨物コンテナの移動及び駐車に対応できる構造的強度を有するよう適合される、請求項１〜７のいずれか１項に記載のシステム。
【請求項９】
前記支持構造の前記それぞれの上部の少なくとも１つは、トレーラ、原動機及び／又はＩＳＯ貨物コンテナ用の、点検及び修繕所として機能するよう適合される、請求項１〜８のいずれか１項に記載のシステム。
【請求項１０】
前記支持構造は多層建築物である、請求項１〜９のいずれか１項に記載のシステム。
【請求項１１】
前記支持構造は、前記支持構造間の空間の体積に関するウインドシアから保護するよう適合される、請求項１〜１０のいずれか１項に記載のシステム。
【請求項１２】
前記ベース脚は、前記第１及び第２の支持構造の前記上部の長さを横移動するよう適合される、請求項１〜１１のいずれか１項に記載のシステム。
【請求項１３】
前記少なくとも１つのセル案内構造は、格子状に配設される、請求項１〜１２のいずれか１項に記載のシステム。
【請求項１４】
前記少なくとも１つのセル案内構造の前記垂直レールは、前記支持構造の前記上部の前記高さまで延在する、請求項１〜１３のいずれか１項に記載のシステム。
【請求項１５】
前記少なくとも１つのセル案内構造は、少なくとももう１つの矩形フレームを更に備え、
前記少なくとももう１つの矩形フレームは、その角が前記垂直案内レールと接続されるように、前記矩形フレームから離間して前記垂直案内レールに沿って配置される、請求項１〜１４のいずれか１項に記載のシステム。
【請求項１６】
前記少なくとも１つのセル案内構造は、前記クレーンにより前記垂直レールの遠位端から垂直に下方へと降下されるＩＳＯコンテナを受承し、案内するよう適合される、請求項１〜１５のいずれか１項に記載のシステム。
【請求項１７】
前記少なくとも１つのセル案内構造の前記矩形フレームは、２０フィートコンテナ又は４０フィートコンテナと実質的に同じとなるよう寸法決めされる、請求項１〜１６のいずれか１項に記載のシステム。
【請求項１８】
前記第１、第２及び／又は第３の支持構造の前記上部へ車両を輸送するための、少なくとも１つの車両通行部分を更に備える、請求項１〜１７のいずれか１項に記載のシステム。
【請求項１９】
前記車両通行部分は、車両用リフト又は車両用傾斜路である、請求項１８に記載のシステム。
【請求項２０】
制御装置を更に備え、
前記制御装置は、少なくとも１つのコンピュータプログラムを実行するよう適合されたコンピュータデバイスである、請求項１〜１９のいずれか１項に記載のシステム。
【請求項２１】
前記制御装置は、前記クレーンによって前記セル案内構造内に保管されたいずれの前記ＩＳＯコンテナの詳細を格納するよう適合された、少なくとも１つのデータベースを備える、請求項２０に記載のシステム。
【請求項２２】
前記制御装置は、通信網を介して少なくとも１つの別の制御装置と電子通信している、請求項２０又は２１に記載のシステム。
【請求項２３】
前記貨物コンテナ荷役用クレーンは、自動ガントリーステアリングシステム（ＡＧＳＳ）、位置決めシステム（ＰＤＳ）及びラジオデータシステム（ＲＤＳ）を更に備える、請求項１〜２２のいずれか１項に記載のシステム。
【請求項２４】
前記ＡＧＳＳ、前記ＰＤＳ及び前記ＲＤＳは、前記通信網を介して前記制御装置と電子通信している、請求項１〜２３のいずれか１項に記載のシステム。
【請求項２５】
請求項２０〜２４のいずれか１項において定義されたシステムに基づいて、ＩＳＯ貨物コンテナを格納する方法であって、
前記方法は：
−輸送業者からのＩＳＯ貨物コンテナの格納注文を、制御装置に入力するプロセス；
−前記格納注文によって特定された前記ＩＳＯ貨物コンテナに対して、配置を割り当てるプロセス；及び
−前記割り当てられた配置に、前記ＩＳＯ貨物コンテナを輸送及び格納するプロセス
を含む、方法。
【請求項２６】
前記割り当てられた配置を、前記ＡＧＳＳ、前記ＰＤＳ及び／又は前記ＲＤＳを介して前記貨物コンテナ荷役用クレーンに提供する、請求項２５に記載の方法。
【請求項２７】
前記輸送業者からの前記格納注文を入力する前に、顧客からのＩＳＯ貨物コンテナの受け取り注文を前記制御装置に入力するプロセスを更に含み、
これにより前記格納注文を入力すると、前記制御装置は、前記受け取り注文に対して前記格納注文を確認するためにコンピュータプログラムを実行する、請求項２５又は２６に記載の方法。
【請求項２８】
請求項２０〜２４のいずれか１項において定義されたシステムに基づいて、ＩＳＯ貨物コンテナを取り出す方法であって、前記方法は：
−輸送業者からのＩＳＯ貨物コンテナの引き渡し注文を、制御装置に入力するプロセス；
−前記セル案内構造からの前記引き渡し注文で特定された前記ＩＳＯ貨物コンテナの位置を決定するプロセス；及び
−前記ＩＳＯ貨物コンテナを前記セル案内構造内の配置から取り出し、前記輸送業者に引き渡すプロセス
を含む、方法。
【請求項２９】
前記ＩＳＯ貨物コンテナの前記配置は、前記ＡＧＳＳ、前記ＰＤＳ及び／又は前記ＲＤＳを介して前記貨物コンテナ荷役用クレーンに提供される、請求項２８に記載の方法。
【請求項３０】
前記輸送業者からの前記引き渡し注文を入力する前に、顧客からのＩＳＯ貨物コンテナ取り出し注文を前記制御装置に入力するプロセスを更に含み、
これにより前記引き渡し注文を入力すると、前記制御装置は、前記取り出し注文に対して前記引き渡し注文を確認するためにコンピュータプログラムを実行する、請求項２８又は２９に記載の方法。
【請求項３１】
前記輸送業者に引き渡された前記ＩＳＯ貨物コンテナの状態を、いずれの制約又は制限について確認し、前記輸送業者の同意を得るプロセスを更に含む、請求項２８〜３０に記載の方法。